(57)【要約】      （修正有）【課題】安価に湯垢を除去できる湯垢除去装置を提供する。【解決手段】湯垢除去装置１０は、密栓部１２と、頭部１６と、筒状部１４とを有する。密栓部１２は、浴槽の排水口に着脱自在であり、貫通孔が形成されている。頭部１６は、湯面から湯垢を導入する導入口１６４を備えている。筒状部１４は、一端に密栓部１２が取り付けられ、他端に頭部１６が取り付けられ、密栓部１２を排水口に装着した状態において、頭部１６の導入口１６４から導入された湯垢を密栓部１２の貫通孔を経て排水口まで導くように、筒状に形成されている。【選択図】図１
0003154760.tif 000002
【実用新案登録請求の範囲】
【請求項１】
浴槽の排水口に着脱自在であり貫通孔が形成された密栓部と、
湯面から湯垢を導入する導入口を備えた頭部と、
一端に前記密栓部が取り付けられ、他端に前記頭部が取り付けられ、前記密栓部を前記排水口に装着した状態において、前記頭部の導入口から導入された湯垢を前記密栓部の前記貫通孔を経て前記排水口まで導く筒状の筒状部と、
を有する湯垢除去装置。
【請求項２】
前記頭部は、水よりも比重が小さい浮き部を備えることを特徴とする請求項１記載の湯垢除去装置。
【請求項３】
前記筒状部は、２本の筒状体が入れ子式に組み合わせて形成されており、２本の筒状体の重複部分を調節することによって、全体の長さを調節可能である請求項１または請求項２記載の湯垢除去装置。
【請求項４】
２本の前記筒状体を連結する連結部材と、
２本の前記筒状体のうち上部に配置される前記筒状体の外周に取り付けられ、当該筒状体が下降すると、前記連結部材と干渉して、当該筒状体が下降できる範囲を制限する水面下降止めと、をさらに有する請求項３記載の湯垢除去装置。
【請求項５】
前記筒状部の下方に取り付けられ、水よりも比重が大きい重りをさらに有する請求項１〜４のいずれか一項に記載の湯垢除去装置。
【請求項６】
前記筒状部の下方に取り付けられ、前記密栓部が前記浴槽の排水口に取り付けられたときに、前記排水口の周囲に面接触して、前記筒状部の自立を支持する安定部材をさらに有する請求項１〜４のいずれか一項に記載の湯垢除去装置。
【考案の詳細な説明】
【技術分野】
【０００１】
本考案は、家庭用浴槽の湯垢を除去する湯垢除去装置に関する。
【背景技術】
【０００２】
家族など複数人で風呂を共用する場合、毛髪、垢、脂、シャンプーやリンスの油分などの湯垢により浴槽内の湯は汚れていく。しかし、一人一人が風呂を使用する度に、新しく湯を張ることは不経済であり、二酸化炭素排出の削減などエコロジーの観点からも、大抵の家庭では、全家族で同じ湯を使うことが一般的である。しかしながら、湯垢が浮いている湯船に浸かるのは気持ちの良いものではなく、誰しも、綺麗な湯船に浸かりたいと考えるものである。
【０００３】
これまで、湯垢除去のための種々の装置が発明ないし考案されている（例えば、特許文献１参照）。
【先行技術文献】
【特許文献】
【０００４】
【特許文献１】特許第３６０３７３４号
【考案の概要】
【考案が解決しようとする課題】
【０００５】
しかしながら、特許文献１記載の湯垢除去装置は、非常に大がかりなものであり、設置に多大なコストがかかってしまう。安価に湯垢を除去できる装置が望まれている。
【０００６】
ところで、湯垢の大半は、湯（水）よりも軽いので、風呂湯をかき混ぜずに数分放置すれば、大体が水面に浮かんでくる性質がある。
【０００７】
本考案は、上記湯垢の性質を利用し、安価に湯垢を除去できる湯垢除去装置を提供することを目的とする。
【課題を解決するための手段】
【０００８】
湯垢除去装置は、密栓部と、頭部と、筒状部とを有する。密栓部は、浴槽の排水口に着脱自在である。頭部は、湯面から湯垢を導入する導入口を備えている。筒状部は、一端に密栓部が取り付けられ、他端に頭部が取り付けられ、密栓部を排水口に装着した状態において、頭部から導入された湯垢を排水口まで導くように、筒状に形成されている。
【考案の効果】
【０００９】
浴槽の排水口を、密栓部、筒状部および頭部を介して直接浴槽内の水面と接続できるので、浴槽の下の綺麗な湯を保存したまま、水面に集まって浮遊する湯垢だけを安価な構成により除去できる。
【図面の簡単な説明】
【００１０】
【図１】湯垢除去装置の斜視図である。
【図２】湯垢除去装置の側面図である。
【図３】湯垢除去装置の正面図である。
【図４】湯垢除去装置の頭部の平面図である。
【図５】浴槽に湯垢除去装置を設置した様子を示す図である。
【図６】湯垢除去装置に水面下降止めが取り付けられた様子を示す図である。
【図７】湯垢除去装置に安定部材を取り付けた様子を示す図である。
【図８】湯垢除去装置に別の安定部材を取り付けた様子を示す斜視図である。
【図９】湯垢除去装置に別の安定部材を取り付けた様子を示す正面図である。
【図１０】安定部材の平面図である。
【図１１】湯垢除去装置の頭部にキャラクター人形が取り付けられた様子を示す図である。
【考案を実施するための形態】
【００１１】
以下、添付した図面を参照して、本考案の実施形態を説明する。なお、図面の説明において同一の要素には同一の符号を付し、重複する説明を省略する。また、図面の寸法比率は、説明の都合上誇張されており、実際の比率とは異なる場合がある。
【００１２】
図１は湯垢除去装置の斜視図、図２は湯垢除去装置の側面図、図３は湯垢除去装置の正面図、図４は湯垢除去装置の頭部の平面図である。
【００１３】
図１〜３に示すように、湯垢除去装置１０は、密栓部１２と、筒状部１４と、頭部１６とを有する。密栓部１２は、浴槽の排水口に着脱自在なように、ゴム等の弾力性を有する材料によって形成されている。密栓部１２は、浴槽の風呂栓の代わりに、排水口に圧入できるように、風呂栓と同様の径を有している。密栓部１２の上部は、筒状部１４の内方に延びており、延びた部分の側面に形成された雄螺子によって、筒状部１４に螺子止めされている。なお、密栓部の取り付けは、接着等の他の接続方法によって達成されてもよい。密栓部１２には筒状部１４および排水口外に連通する貫通孔１２２が形成されている。
【００１４】
筒状部１４は、筒状に形成されており、２本のパイプ（筒状体）１４２、１４４が入れ子式に組み合わされて形成されている。図１〜３中下方に示されている第１パイプ１４２の一端には、密栓部１２が取り付けられている。密栓部１２の雄螺子は、第１パイプ１４２の内面に形成された雌螺子と螺合して、両者は固く取り付けられている。第１パイプ１４２は、図１〜３中上方に示されている第２パイプ１４４に、高さ調節部材（連結部材）１４６を介して取り付けられている。高さ調節部材１４６は、図１中の矢印の方向に回すと締まって第１パイプ１４２と第２パイプ１４４との位置を固定し、反対方向に回すと緩んで第１パイプ１４２と第２パイプ１４４との位置を変更可能とする。
【００１５】
第２パイプ１４４は、第１パイプ１４２を入れ子式に挿入できるように、第１パイプ１４２よりも一回り大きな径に形成されている。高さ調節部材１４６を緩め、第１パイプ１４２が第２パイプ１４４に挿入される量を調節、すなわち、第１パイプ１４２と第２パイプ１４４との重複部分を調節して、高さ調節部材１４６を締めることで、湯垢除去装置１０の全体の高さを調節できる。
【００１６】
第２パイプ１４４の他端（図中上方）には、頭部１６が取り付けられている。第２パイプ１４４と頭部１６とは、互いに螺合している。したがって、頭部１６を第２パイプ１４４に対して回転させることによって、頭部１６の位置（高さ）を微調節できる。
【００１７】
頭部１６は、本体１６２と、本体１６２から突出し、水面（湯面）から水（湯）を導入する導入口１６４と、本体１６２の底部に形成され、導入された水を排出する排水部１６６と、本体１６２内に形成され、水面もしくは水中において浮力を発生する浮き部１６８とを有する。
【００１８】
図１および図４に示すように、本体１６２は、円筒の一部が切りかかれた形状を有している。切りかかれた部分から導入口１６４が突出している。導入口１６４は、図２に示すように、浮き部１６８がある位置よりも下方に設けられている。導入口１６４から導入された水は、本体１６２内方に導かれ、排水部１６６から筒状部１４内に排出される。本体１６２には、内部に空間が形成され好ましくは密閉された浮き部１６８が形成されている。浮き部１６８は、排水部１６６の若干上方に、排水部１６６を囲うように形成されている。浮き部１６８は、空気を密閉している。
【００１９】
図５は浴槽に湯垢除去装置を設置した様子を示す図である。
【００２０】
図５に示すように、浴槽２０の排水口２２に密栓部１２が圧入されて、湯垢除去装置１０が取り付けられる。湯垢除去装置１０は、高さ調節部材１４６を緩めて、第１パイプ１４２と第２パイプ１４４の位置を調節することによって、ユーザの所望の高さに調節される。加えて、頭部１６を第２パイプ１４４に対して回転されることによって、頭部１６の位置が微調整される。湯垢除去装置１０の導入口１６４の高さは、水面よりも低く、浴槽２０内の水量が必要以上に低くならないように調節される。
【００２１】
ここで浮き部１６８は、空気が密閉されているので、水よりも比重が軽く、図５中に白抜き矢印で示す方向に浮力を発生する。浮力は、湯垢除去装置１０を上方に引っ張る。したがって、湯垢除去装置１０が起立する方向の力が発生するので、湯垢除去装置１０が倒れにくくなる。このため、湯垢除去装置１０の姿勢が安定する。
【００２２】
浮力により湯垢除去装置１０が安定した状態において、導入口１６４は、水面下に配置されるので、水面の湯が導入口１６４から排出される。したがって、水面に浮遊する湯垢３０も、湯垢除去装置１０内に引き寄せられ、導入口１６４、筒状部１４および密栓部１２を介して、排水口２２から排出される。水面が、導入口１６４よりも低くなると、排水が止まる。
【００２３】
以上のように、上記実施形態に係る湯垢除去装置１０によれば、風呂栓の代わりに、排水口２２に密栓部１２を差し込むことによって浴槽２０に簡単に取り付けられる。湯垢除去装置１０は、構造が簡易なので、安価に作成できる。排水口２２が密栓部１２、筒状部１４および頭部１６を介して直接浴槽２０内の水面と接続されるので、浴槽２０の下の綺麗な湯を保存したまま、水面に集まって浮遊する湯垢３０だけを除去できる。
【００２４】
また、第１パイプ１４２および第２パイプ１４４の重複部分を調節して湯垢除去装置１０の高さを調節できるので、水面の高さに合わせて導入口１６４の位置を設定でき、水面の湯垢３０を除去できる。さらに、頭部１６には浮き部１６８が設けられているので、その浮力によって、湯垢除去装置１０の姿勢を安定できる。なお、浮き部１６８は、空気が密閉される代わりに、水よりも比重が小さい材料によって形成されてもよい。
【００２５】
湯垢除去装置１０の上記各構成は、抗菌処理が施されていることが好ましい。
【００２６】
（変形例１）
図６は、湯垢除去装置に水面下降止めが取り付けられた様子を示す図である。
【００２７】
上記実施形態では、最初に湯垢除去装置１０の高さを調節し、固定している。しかし、本考案はこれに限定されない。浴槽２０に湯を張った状態で、高さ調節部材１４６を緩めておくこともできる。高さ調節部材１４６を緩めた状態で放置すると、浮きによって、頭部１６が水面に浮く。すると、導入口１６４は、水面よりも低くなるので、水面に浮遊する湯垢３０を自然と除去できる。ただし、このまま放置し続けると、第２パイプ１４４が下降できる限界まで水面が下がってしまう。したがって、たとえば、図６に示すように、第２パイプ１４４の周囲に水面下降止め４０を取り付けることによって、水面の下降を制限できる。水面下降止め４０が取り付けられておれば、水面が下がることによって水面下降止め４０が高さ調節部材１４６に当り、それ以上第２パイプ１４４が下がらなくなる。
【００２８】
なお、水面下降止め４０は、第２パイプ１４４に取り付けられるものであれば、いかなる形状、材料に形成されてもよい。たとえば、水面下降止め４０は、環状に形成された弾性を有するゴムである。水面下降止め４０は、環状の一部が切断されており、切断箇所から第２パイプ１４４を押し込むことによって環状内部に保持できる。
【００２９】
（変形例２）
図７は、湯垢除去装置に安定部材を取り付けた様子を示す図であり、図７（Ａ）は湯垢除去装置の正面図、図７（Ｂ）は安定部材の平面図である。
【００３０】
上記実施形態では、頭部１６の浮き部１６８の浮力によって、湯垢除去装置１０の姿勢を安定させている。図７に示すように、第１パイプ１４２の下方に安定部材（重り）５０を取り付けることによって、湯垢除去装置１０の起立した姿勢が一層安定する。安定部材５０は、たとえば、図示するように、円筒形に形成されている。安定部材５０は、浮力が発生しても浴槽２０に沈んで湯垢除去装置１０の姿勢を安定できるように、水よりも大きい比重の材料によって形成される。安定部材５０は、たとえば、弾性を有するゴムによって形成されており、円筒の一部が切断され、切断箇所５２から第１パイプ１４２を押し込むことによって円筒内部に保持できる。
【００３１】
（変形例３）
図８は湯垢除去装置に別の安定部材を取り付けた様子を示す斜視図、図９は湯垢除去装置に別の安定部材を取り付けた様子を示す正面図、図１０は安定部材の平面図である。
【００３２】
変形例３では、変形例２とは異なる安定部材６０が取り付けられる。安定部材６０は、第１パイプ１４２の下方に取り付けられ、湯垢除去装置１０が浴槽２０の排水口２２に取り付けられたときに、排水口２２の周囲に面接触して、湯垢除去装置１０の自立を支持する。
【００３３】
安定部材６０は、台部６２と、湯垢除去装置１０の第１パイプ１４２に嵌合される嵌合部６４と、嵌合部６４と台部６２とを連結する連結部６６とを有する。台部６２は、湯垢除去装置１０の自立を補助できる形状であれば、いかなる形状でもよく、たとえば、図８〜１０に示すように一部が欠けたリング状に形成される。リング状の一部を欠いているのは、湯垢除去装置１０の自立の補助効果を失わずに、台部６２の占める範囲を少なくするためである。湯垢除去装置１０は、浴槽２０の排水口２２に取り付けられるので周囲に台部６２を設置できる範囲は限られていることを考慮している。
【００３４】
嵌合部６４は、第１パイプ１４２に安定部材６０がしっかりと固定されるように、第１パイプ１４２が挿入可能に形成されている。嵌合部６４は、図８および図９に示すように、第１パイプ１４２と２ヶ所で嵌合できる。ただし、嵌合部６４は、第１パイプ１４２の下方の一ヶ所だけに取り付けられてもよい。あるいは、嵌合部６４は、たとえば、より長い１本の筒状に形成されて、第１パイプ１４２に嵌合されてもよい。
【００３５】
連結部６６は、台部６２と嵌合部６４とを連結する骨組みの役割を果たす。連結部６６は、台部６２と嵌合部６４との間でのぐらつきや揺動を低減し、安定部材６０を安定させる。
【００３６】
以上のように、本変形例３では、湯垢除去装置１０に安定部材６０を取り付けることによって、湯垢除去装置１０が浴槽２０に設置され、浴槽に水が張られる前でも、湯垢除去装置１０の自立を補助できる。
【００３７】
（変形例４）
図１１は、湯垢除去装置の頭部にキャラクター人形が取り付けられた様子を示す図である。
【００３８】
図１１に示すように、頭部１６には、カエル、カバ、アヒルなどの様々な種類のキャラクター人形を取り付けることができる。キャラクター人形を取り付けることによって、浴槽２０内の雰囲気が和み、入浴を一層楽しいものとすることができる。キャラクター人形は、導入口１６４からの湯垢の導入を妨げない限り、いかなる形状であってもよい。
【符号の説明】
【００３９】
１０  湯垢除去装置、
１２  密栓部、
１４  筒状部、
１６  頭部、
４０  水面下降止め、
５０、６０  安定部材、
１４２  第１パイプ、
１４４  第２パイプ、
１４６  高さ調節部材、
１６２  本体、
１６４  導入口、
１６６  排水部、
１６８  浮き部。
【図１】
0003154760.tif 000003
【図２】
0003154760.tif 000004
【図３】
0003154760.tif 000005
【図４】
0003154760.tif 000006
【図５】
0003154760.tif 000007
【図６】
0003154760.tif 000008
【図７】
0003154760.tif 000009
【図８】
0003154760.tif 000010
【図９】
0003154760.tif 000011
【図１０】
0003154760.tif 000012
【図１１】
0003154760.tif 000013